(57)【特許請求の範囲】
【請求項１】
本体の平面の上方を被覆可能なカバーと、
前記カバーを、前記平面と平行な第１方向に沿った回動軸を中心に回動可能に保持する回動保持部と、を備え、
前記カバーは、
前記カバーの上面と交差し、前記回動軸側に位置する端面に設けられ、前記第１方向と直交し、且つ、前記カバーの下面に沿った第２方向へ窪んだ取付凹部を備え、
前記回動保持部は、
前記カバーの取付凹部に対して、前記第２方向に従って挿入されて嵌合する取付凸部を一端に備えるカバー取付部材と、
前記本体における前記回動軸側の部分に配設され、前記カバー取付部材の他端部を、前記回動軸を中心に回動可能に保持する保持部材と、を有する
ことを特徴とするカバーの回動機構。
【請求項２】
請求項１記載のカバーの回動機構であって、
前記カバーは、
第１材料により形成されており、
前記カバー取付部材は、
前記第１材料よりも大きい強度を有する第２材料により形成されている
ことを特徴とするカバーの回動機構。
【請求項３】
請求項１又は請求項２記載のカバーの回動機構であって、
前記カバー取付部材は、
前記取付凸部を一端側に有し、前記取付凸部と逆側に形成され、前記第２方向へ窪んだ嵌合凹部、を有する第１取付部材と、
前記第１取付部材の嵌合凹部と嵌合する嵌合凸部を一端側に有し、他端側において、前記保持部材に対して前記回動軸を中心に回動可能に保持された第２取付部材と、を有して構成されている
ことを特徴とするカバーの回動機構。
【請求項４】
請求項１乃至請求項３の何れかに記載のカバーの回動機構であって、
前記カバー取付部材は、
前記第１方向へ延びる規制凸部を、前記回動軸近傍の位置に有し、
前記保持部材は、
前記カバーが前記平面を被覆した状態から所定の回動量回動した場合に、前記規制凸部と接触することにより、前記カバーの回動を規制する回動規制部を有する
ことを特徴とするカバーの回動機構。
【請求項５】
請求項１乃至請求項４の何れかに記載のカバーの回動機構であって、
前記カバーは、
前記回動軸側の端面において、前記第１方向に沿った両端部にあたる２箇所に、前記取付凹部を有し、
前記回動保持部は、
前記取付凹部の位置に対応し、前記第１方向に沿った両端部において、前記本体に対して、前記カバーを、前記回動軸を中心に回動可能に保持する
ことを特徴とするカバーの回動機構。
【発明の詳細な説明】
【技術分野】
【０００１】
本発明は、カバーを、本体の一平面に対して、回動軸を中心として回動可能に保持する為のカバーの回動機構に関する。
【背景技術】
【０００２】
従来、スキャナ装置、コピー機、及び多機能機等においては、カバーが、本体筐体の一平面に対して、その一端縁に沿って延びる回動軸を中心として回動可能に保持されているものが知られている。例えば、特許文献１記載の画像読取装置は、プラテンカバー部を有するカバーを、本体筐体上面の後端縁に沿って延びる回動軸を中心として回動可能に保持している。特許文献１記載の画像読取装置は、カバーが閉じられることによって、本体筐体に配設されたプラテンガラスを覆い得るように構成されている。カバーが閉じられることによって、プラテンガラス上にセットされた原稿が固定される。そして、画像読取装置は、本体筐体上部に位置するスキャナユニットにより、プラテンガラス上の原稿から画像を読み取る。
【先行技術文献】
【特許文献】
【０００３】
【特許文献１】特開２００９−１１１７２８号公報
【発明の概要】
【発明が解決しようとする課題】
【０００４】
ここで、特許文献１記載の画像読取装置において、前記カバーは、ヒンジ手段により、本体筐体に対して回動自在に保持されている。特許文献１の図６からわかるように、特許文献１におけるヒンジ手段は、上部取付座と、下部取付座と、ヒンジ軸とを有している。下部取付座に対して、上部取付座がヒンジ軸を中心に回動可能に取り付けられている。そして、特許文献１の図２（ｂ）からわかるように、下部取付座は、略板状の部材により構成されている。下部取付座は、本体筐体上面における本体筐体後方部分に固定される。一方、上部取付座は、下部取付座と同様に板状に形成されている。上部取付座は、カバーを閉じた場合に本体筐体上面と対向する面（以下、「本体対向面」という）に固定されている。
【０００５】
従って、特許文献１記載の画像読取装置では、ヒンジ手段を構成する上部取付座が、前記カバーの本体対向面の一部を占有している。そのため、本体対向面の一部を含むスペースを有効活用することができなかった。
【０００６】
本発明は、カバーを、本体の一平面に対して、回動軸を中心として回動可能に保持する為のカバーの回動機構に関し、スペースを有効活用し得るカバーの回動機構を提供する。
【課題を解決するための手段】
【０００７】
本発明の一側面に係るカバーの回動機構は、カバーと、回動保持部と、を備え、前記カバーを、本体の平面の上方を被覆可能なように、回動軸を中心に回動可能に保持する。前記カバーは、前記カバーの上面と交差し、前記回動軸側に位置する端面に取付凹部を有している。そして、前記回動保持部は、取付凸部を一端に備えるカバー取付部材と、前記カバー取付部材の他端部を、前記回動軸を中心に回動可能に保持する保持部材と、を有している。前記カバー取付部材の取付凸部は、前記カバーの取付凹部に対して、前記第２方向に従って挿入されて嵌合する。又、保持部材は、本体における前記回動軸側の部分に配設される。従って、カバーが本体の平面の上方を被覆した状態において、平面とカバーの間に、カバーの回動機構を構成する部材等が位置することはない。この結果、平面を含むスペースを有効活用することができる。
【０００８】
そして、本発明の他の側面に係るカバーの回動機構であって、前記カバーは、第１材料により形成されており、前記カバー取付部材は、前記第１材料よりも大きい強度を有する第２材料により形成されている。従って、カバーの回動機構は、回動軸を中心としたカバーの回動操作に伴って生じるモーメントに十分に対抗し得る。
【０００９】
又、本発明の他の側面に係るカバーの回動機構であって、前記カバー取付部材は、第１取付部材と、第２取付部材と、を有して構成されている。第１取付部材は、前記取付凸部を一端側に有し、前記取付凸部と逆側に形成され、前記第２方向へ窪んだ嵌合凹部、を有している。そして、第２取付部材は、前記第１取付部材の嵌合凹部と嵌合する嵌合凸部を一端側に有し、他端側において、前記保持部材に対して前記回動軸を中心に回動可能に保持されている。従って、カバーが本体の平面を被覆した状態において、平面とカバーの間に、カバーの回動機構を構成する部材等が位置することはない。この結果、平面を含むスペースを有効活用することができる。
【００１０】
そして、本発明の他の側面に係るカバーの回動機構であって、前記カバー取付部材は、前記第１方向へ延びる規制凸部を、前記回動軸近傍の位置に有し、前記保持部材は、前記カバーが前記平面を被覆した状態から所定の回動量回動した場合に、前記規制凸部と接触することにより、前記カバーの回動を規制する回動規制部を有する。これにより、カバーを開閉動作する際の回動を一定の範囲に規制することができる。
【００１１】
又、本発明の他の側面に係るカバーの回動機構であって、前記カバーは、前記回動軸側の端面において、前記第１方向に沿った両端部にあたる２箇所に、前記取付凹部を有し、前記回動保持部は、前記取付凹部の位置に対応し、前記第１方向に沿った両端部において、前記本体に対して、前記カバーを、前記回動軸を中心に回動可能に保持する。従って、カバーの回動軸側の端面における両端部にあたる２箇所をもって、カバーを保持することができ、第１方向における中央部分のスペースを有効に活用し得る。
【図面の簡単な説明】
【００１２】
【図１】本発明の一実施形態に係る画像読取装置１について、上部カバーを開いた状態を示す外観斜視図である。
【図２】上記画像読取装置１の背面側の構成を示す説明図である。
【図３】上記画像読取装置１の内部構成を示す断面図である。
【図４】上記画像読取装置１の第１回動保持部５０の構成を示す断面図である。
【図５】上記第１回動保持部５０の外観斜視図である。
【図６】上記画像読取装置１の第１取付部材５２の外観斜視図である。
【図７】上記画像読取装置１の第２取付部材５３の外観斜視図である。
【図８】上記画像読取装置１の第２回動保持部６０の構成を示す断面図である。
【図９】上記画像読取装置１の第２カバー取付部材６１の外観斜視図である。
【発明を実施するための形態】
【００１３】
以下、本発明に係るカバーの回動機構を、画像読取装置１に対して具体化した一実施形態について、図面を参照しつつ詳細に説明する。尚、以下の説明においては、画像読取装置１が使用可能に設置された状態を基準として、画像読取装置１の上下方向を定義する。画像読取装置１の正面に位置するユーザを基準として、前後方向及び、左右方向を定義して説明する。
【００１４】
図１に示すように、画像読取装置１は、上部カバー５と、本体筐体３０とを有している。図１、図２に示すように、上部カバー５は、後述する第１回動保持部５０及び第２回動保持部６０によって、本体筐体３０上面の後端縁に位置する回動軸５３Ｂ、回動軸６１Ｂを中心に開閉自在に配設されている。上部カバー５は、カバー筐体６内の左側部分に、ＡＤＦ（Ａｕｔｏ Ｄｏｃｕｍｅｎｔ Ｆｅｅｄｅｒ）ユニット１０を備えている。ＡＤＦユニット１０は、原稿の画像を読み取るために、原稿を所定の原稿搬送経路Ｒに沿って搬送するユニットである。ＡＤＦユニット１０の構成については、後に図面を参照しつつ詳細に説明する。
【００１５】
そして、本体筐体３０は、画像読取装置１におけるスキャナ機能を実現するための各種構成部品を、本体筐体３０内部に収容している。具体的には、本体筐体３０は、その上部に、原稿の画像を読み取るスキャナユニット４０を有している。スキャナユニット４０の構成については、後に図面を参照しつつ詳細に説明する。
【００１６】
ここで、上部カバー５は、第１回動保持部５０と、第２回動保持部６０と、を備える。第１回動保持部５０は、上部カバー５の後端縁における左端部分に配設されている。第２回動保持部６０は、上部カバー５の後端縁における右端部分に配設されている。上部カバー５は、第１回動保持部５０、及び第２回動保持部６０によって、本体筐体３０上面及び、上部カバー５の後端縁に沿って左右方向に延びる回動軸を中心に、本体筐体３０の上面に対して開閉自在に配設されている。図２、図３に示すように、上部カバー５を閉じた場合に本体筐体３０上面、即ち、スキャナユニット４０の上面を被覆する。従って、上部カバー５を閉じた場合、上部カバー５は、スキャナユニット４０による読取対象としてセットされた原稿をその位置に固定し得る。
【００１７】
そして、本体筐体３０は、画像読取装置１の制御の中枢を担う制御部を収容している。制御部は、ＣＰＵ、ＲＯＭ、ＲＡＭ等を有しており、画像読取装置１の各機能に係る制御を担う。従って、制御部は、ＡＤＦユニット１０、スキャナユニット４０等を制御することにより、画像読取装置１におけるスキャナ機能を実現する。
【００１８】
次に、画像読取装置１におけるＡＤＦユニット１０の構成について、図３を参照しつつ詳細に説明する。図３に示すように、ＡＤＦユニット１０は、原稿載置部１５と、原稿搬送機構部２０と、原稿搬送経路Ｒと、駆動モータＭとを主に備えて構成されており、原稿載置部１５に載置された原稿を、図３に示す所定の原稿搬送経路Ｒに沿って搬送する。
【００１９】
原稿載置部１５は、上部カバー５の左右方向における中央部分に形成された平面である。ＡＤＦユニット１０による搬送対象である原稿は、その長辺が左右方向に沿った状態で原稿載置部１５に載置される。つまり、原稿は、その短辺が画像読取装置１の前後方向に沿った状態で原稿載置部１５に載置される。原稿載置部１５は、原稿搬送経路Ｒにおいて、ＡＤＦユニット１０の下方に位置する一端部に沿って形成されている。
【００２０】
原稿載置部１５の上方には、仕切板１６が、原稿載置部１５との間に一定の間隔を隔てて形成されている。仕切板１６は、ＡＤＦユニット１０内部において、上方部分と下方部分を区分する。又、仕切板１６の上面には、ＡＤＦユニット１０によって搬送された原稿が積層される。
【００２１】
原稿搬送経路Ｒは、画像読取装置１の左右方向に沿って、原稿載置部１５から延びている。原稿搬送経路Ｒは、仕切板１６の表面を接続するように、ＡＤＦユニット１０内部に形成されている。原稿搬送経路Ｒは、Ｕターン経路Ｒｕを有している。図３に示すように、Ｕターン経路Ｒｕは、ＡＤＦユニット１０の左側部分に、側面視略Ｕ字状に形成されている。Ｕターン経路Ｒｕは、原稿載置部１５から左方向に向かって搬送された原稿の搬送方向を１８０度変換しつつ、仕切板１６の表面に導くための経路である。従って、Ｕターン経路Ｒｕは、原稿搬送経路Ｒの内、上部カバー５における最も左側に位置する。
【００２２】
尚、本実施形態においては、原稿載置部１５の表面から原稿搬送経路Ｒに沿って仕切板１６へ向かう方向を原稿の搬送方向という。
【００２３】
原稿搬送機構部２０は、ＡＤＦユニット１０において、原稿載置部１５に載置された原稿を、給紙・搬送する為の機構部である。原稿搬送機構部２０は、駆動モータＭの駆動力が伝達されることにより、原稿を原稿搬送経路Ｒに沿って搬送方向下流側へ搬送する。
【００２４】
図３に示すように、原稿搬送機構部２０は、原稿供給ローラ２１、原稿接触部材２１Ａ、原稿分離ローラ２２、分離パッド２３、原稿搬送ローラ対２４、メインローラ２５、第１従動ローラ２６、第２従動ローラ２７を有している。原稿供給ローラ２１は、原稿載置部１５の搬送方向下流側において原稿搬送経路Ｒを搬送される原稿の下面に沿う位置に回転自在に支持されている。原稿供給ローラ２１は、駆動モータＭの駆動により、原稿載置部１５に載置された原稿を搬送方向下流側へ搬送する。
【００２５】
原稿接触部材２１Ａは、原稿搬送経路Ｒを介して、原稿供給ローラ２１と対向する位置に揺動自在に配設されている。原稿接触部材２１Ａは、原稿供給ローラ２１上に位置する原稿の上面と接触している。原稿接触部材２１Ａは、原稿載置部１５に積載された原稿を、原稿供給ローラ２１に押圧する。又、原稿接触部材２１Ａは、原稿の分離を円滑に行うために、原稿を捌く機能を有する。
【００２６】
原稿分離ローラ２２は、原稿供給ローラ２１よりも搬送方向下流側において、原稿搬送経路Ｒを搬送される原稿の下面に沿う位置に回転自在に支持されている。原稿分離ローラ２２は、駆動モータＭの駆動に伴って回転する。そして、原稿分離ローラ２２は、分離パッド２３と協働することで、一枚の原稿のみを分離して搬送方向下流側へ搬送する。
【００２７】
分離パッド２３は、所定の可撓性及び摩擦係数を有する材料で構成された薄板状の部材である。分離パッド２３は、原稿接触部材２１Ａよりも搬送方向下流側において、原稿搬送経路Ｒを介して、原稿分離ローラ２２と対向する位置に配設されている。そして、分離パッド２３は、原稿分離ローラ２２上に位置する原稿の上面に接触するように配設されている。分離パッド２３は、原稿に摩擦力を付与することによって、原稿分離ローラ２２と協働して、原稿を一枚ずつに分離する。
【００２８】
原稿搬送ローラ対２４は、原稿分離ローラ２２及び分離パッド２３よりも搬送方向下流側において、原稿搬送経路Ｒを介して相互に対向する位置に回転自在に支持されている。原稿搬送ローラ対２４の内、原稿搬送経路Ｒの上部に位置するローラは、駆動モータＭの駆動力によって回転駆動する。原稿搬送経路Ｒの下部に位置するローラは、対向するローラの回転に伴って従動する。原稿搬送ローラ対２４は、原稿分離ローラ２２等によって一枚ずつに分離された原稿を挟持しつつ回転することによって、原稿を、原稿搬送経路Ｒに沿って搬送方向下流側に搬送する。
【００２９】
メインローラ２５は、原稿搬送経路Ｒを構成するＵターン経路Ｒｕに沿う位置に回転自在に支持されている。メインローラ２５は、駆動モータＭの駆動により回転駆動する。又、メインローラ２５の外周面は、Ｕターン経路Ｒｕの一部を構成する。メインローラ２５は、回転することによって、原稿搬送ローラ対２４から搬送された原稿を、Ｕターン経路Ｒｕに沿って搬送する。
【００３０】
第１従動ローラ２６は、メインローラ２５の下側において、原稿搬送経路Ｒ、即ちＵターン経路Ｒｕを介して対向する位置に回転可能に支持されている。第１従動ローラ２６は、メインローラ２５の回転に伴って従動する。又、第２従動ローラ２７は、メインローラ２５の上側において、原稿搬送経路Ｒ、即ちＵターン経路Ｒｕを介して対向する位置に回転可能に支持されている。第２従動ローラ２７は、メインローラ２５の回転に伴って従動する。従って、原稿Ｓは、メインローラ２５、第１従動ローラ２６、第２従動ローラ２７の回転によって、Ｕターン経路Ｒｕに従って搬送される。
【００３１】
駆動モータＭは、ＡＤＦユニット１０における原稿の搬送に関する駆動源であり、制御部の制御に従って駆動する。図１、図３に示すように、駆動モータＭは、その一部が本体筐体３０側に突出するように配設されている。従って、画像読取装置１は、上部カバー５の内部、即ちＡＤＦユニット１０の内部に、駆動モータＭ全体を収納する場合と比較して、上部カバー５の厚み、即ち上下方向の寸法を小さくし得る。
【００３２】
続いて、画像読取装置１における本体筐体３０の構成について、図面を参照しつつ詳細に説明する。本体筐体３０は、上面側にスキャナユニット４０を有している。図１、図３に示すように、スキャナユニット４０は、原稿載置台として機能するコンタクトガラス４１、イメージセンサ４２、スライド軸、モータ等を備えている。コンタクトガラス４１は、所謂プラテンガラスである。コンタクトガラス４１は、本体筐体３０の左右方向に沿って長辺が位置するＡ４サイズよりもやや大きな長方形状に形成されている。
【００３３】
イメージセンサ４２は、所謂、密着型イメージセンサ（ＣＩＳ：Contact Image Sensor）により構成される。イメージセンサ４２は、コンタクトガラス４１上に位置する原稿の画像を読み取る。イメージセンサ４２は、主走査方向、即ち、本体筐体３０における前後方向がＡ４サイズの短辺に相当する長さの読取範囲を有している。イメージセンサ４２は、本体筐体３０の左右方向に向かって伸びるスライド軸によって、左右方向の一定の範囲、即ちＡ４サイズの長辺寸法に相当する範囲内をスライド移動可能に保持されている。従って、画像読取装置１は、制御部によるモータの駆動制御に基づいて、イメージセンサ４２をスライド軸に沿ってスライド移動しつつ、コンタクトガラス４１上に載置された原稿の画像を読み取り得る。
【００３４】
図１、図３に示すように、本体筐体３０上面には、凹部３１が、上部カバー５における駆動モータＭの配設位置に対応する部分に、下方に凹んだ凹状に形成されている。凹部３１は、上部カバー５を閉じた場合に、上部カバー５の下方に突出する駆動モータＭの一部を収容する。これにより、画像読取装置１は、上部カバー５における駆動モータＭの配設位置及び凹部３１との協働により、画像読取装置１の上下方向におけるサイズを小型化することができる。
【００３５】
続いて、本実施形態における第１回動保持部５０の構成について、図面を参照しつつ詳細に説明する。図２に示すように、第１回動保持部５０は、画像読取装置１背面側の左端部分において、上部カバー５を本体筐体３０上面に対して回動自在に保持している。
【００３６】
ここで、図４に示すように、上部カバー５のカバー筐体６には、第１取付凹部７が形成されている。第１取付凹部７は、カバー筐体６背面の左端部分を、上部カバー５の延出方向に向かって窪んだ所定の凹形状に形成されている。ここで、上部カバー５の延出方向とは、画像読取装置１の左右方向に並行な回動軸と直交する方向である。即ち、上部カバー５の延出方向とは、上部カバー５を閉じた状態において、カバー筐体６の背面側から前面側へ向かう方向を意味する。尚、カバー筐体６は、スチロール樹脂によって形成されている。スチロール樹脂は、例えば、２６ＭＰａの引っ張り強度を有している。
【００３７】
図４〜図７に示すように、第１回動保持部５０は、第１カバー取付部材５１と、第１保持部材５５を有している。第１回動保持部５０は、第１保持部材５５に対して、第１カバー取付部材５１を、回動軸５３Ｂを中心に回動可能に構成されている。
【００３８】
第１カバー取付部材５１は、第１取付部材５２と、第２取付部材５３と、を有している。第１取付部材５２は、第１カバー取付部材５１における上部カバー５側に位置する部材である。第１取付部材５２は、第１取付凸部５２Ａと、嵌合凹部５２Ｂとを有している。尚、第１取付部材５２は、アクリロニトリル・ブタジエン・スチレン共重合合成樹脂により形成されている。アクリロニトリル・ブタジエン・スチレン共重合合成樹脂は、例えば、５０ＭＰａの引っ張り強度を有している。
【００３９】
図４に示すように、第１取付凸部５２Ａは、第１取付部材５２の一端側において、カバー筐体６の第１取付凹部７の形状に対応して突出するように形成されている。第１取付凸部５２Ａは、カバー筐体６の第１取付凹部７に対して、上部カバー５の延出方向に沿って挿入される。このようにして、第１取付部材５２は、上部カバー５の背面側の左端部に取り付けられる。そして、図６に示すように、嵌合凹部５２Ｂは、第１取付部材５２の他端側において、前記上部カバー５の延出方向へ窪んだ凹状に形成されている。
【００４０】
第２取付部材５３は、第１カバー取付部材５１における第１保持部材５５側に位置する部材である。第２取付部材５３は、嵌合凸部５３Ａと、回動軸５３Ｂと、規制凸部５３Ｃとを有している。第２取付部材５３は、ポリアセタール樹脂により形成されている。ポリアセタール樹脂は、例えば、４０ＭＰａの引っ張り強度を有している。
【００４１】
図４、及び図７に示すように、嵌合凸部５３Ａは、第２取付部材５３の一端部側に突出形成されている。嵌合凸部５３Ａは、図６に示す第１取付部材５２の嵌合凹部５２Ｂの凹形状に対応する形状に形成されている。嵌合凸部５３Ａは、上部カバー５の延出方向に沿って、第１取付部材の嵌合凹部５２Ｂに対して挿入される。このようにして、第２取付部材５３は、第１取付部材５２に対して取り付けられる。
【００４２】
そして、回動軸５３Ｂは、第２取付部材５３の他端側において、第２取付部材５３の左右方向に延びる棒状に形成されている。回動軸５３Ｂは、第１保持部材５５に対して、第２取付部材５３を回動させる際の回動中心として機能する。図４に示すように、第１カバー取付部材５１、即ち、第１取付部材５２及び第２取付部材５３は、カバー筐体６の第１取付凹部７に対して取り付けられている。この取り付けにより、回動軸５３Ｂは、上部カバー５の背面側において、画像読取装置１の左右方向と平行に位置する。
【００４３】
図４に示すように、規制凸部５３Ｃは、第２取付部材５３の回動軸５３Ｂから所定距離離間した位置に形成されている。規制凸部５３Ｃは、図４（ｂ）に示すように、第１保持部材５５の回動規制部５５Ｂと当接する。この当接により、規制凸部５３Ｃは、本体筐体３０上面に対する上部カバー５の開き量を所定範囲内に規制する機能を果たす。所定範囲とは、例えば、本体筐体３０上面から１００度程度である。尚、規制凸部５３Ｃと回動軸５３Ｂとの間の距離は、図４に示すように、第１保持部材５５において、回動軸５３Ｂを保持する軸保持部５５Ａの厚みよりも大きく、且つ、後述する回動規制部５５Ｂと当接可能な範囲である。ここでいう軸保持部５５Ａの厚みとは、図４に示す断面において、回動軸５３Ｂ周りに位置する軸保持部５５Ａの厚みを意味する。つまり、軸保持部５５Ａの厚みは、画像読取装置１の左右方向における厚みを意味するものではない。
【００４４】
そして、第１保持部材５５は、図２に示すように、本体筐体３０上面における背面側の左端部における所定位置において、本体筐体３０上面に対して鉛直に差し込まれて取り付けられる。第１保持部材５５は、軸保持部５５Ａ及び回動規制部５５Ｂを一端部側に有する略棒状に形成されている。軸保持部５５Ａは、本体筐体３０に取り付けた場合における第１保持部材５５の上端部に形成されている。軸保持部５５Ａは、第２取付部材５３の回動軸５３Ｂを保持することによって、第１カバー取付部材５１を、回動軸５３Ｂを中心として、第１保持部材５５に対して回動自在に保持している。
【００４５】
そして、回動規制部５５Ｂは、前記軸保持部５５Ａの外表面から、前記回動軸５３Ｂに対して外側方向に突出するように形成されている。回動規制部５５Ｂは、前記軸保持部５５Ａに保持された回動軸５３Ｂを中心として、第２取付部材５３が所定量回動した場合に、第２取付部材５３の規制凸部５３Ｃと当接する。所定量とは、例えば、本体筐体３０上面から１００度程度である。この当接により、回動規制部５５Ｂは、第２取付部材５３の回動量を一定範囲に規制する。
【００４６】
このように、本実施形態に係る第１回動保持部５０は、上部カバー５の背面における左端側に位置する第１取付凹部７に対して、前記延出方向に沿って挿入して取り付けられる第１カバー取付部材５１、即ち、第１取付部材５２及び第２取付部材５３を備える。第１回動保持部５０は、軸保持部５５Ａによって、第１カバー取付部材５１の回動軸５３Ｂを保持し、本体筐体３０上面の背面側において鉛直方向に差し込まれる第１保持部材５５を備える。従って、第１回動保持部５０によれば、上部カバー５が本体筐体３０上面に対して閉じられた場合であっても、上部カバー５と本体筐体３０上面の間に、第１回動保持部５０の構成部材が位置することがない。従って、本体筐体３０上面や上部カバー５におけるその対向面を含むスペースを有効活用し得る。例えば、本実施形態においては、第１回動保持部５０を用いることにより、上部カバー５において、本体筐体３０上面に凹部３１を形成することができ、駆動モータＭを下方に突出する配置で配設することが可能となる。これにより、画像読取装置１の上下方向の寸法を小型化し得る。
【００４７】
又、本実施形態においては、カバー筐体６は、２６ＭＰａの引っ張り強度を有するスチロール樹脂により形成されている。第１回動保持部５０を構成する第１取付部材５２は、５０ＭＰａの引っ張り強度を有するアクリロニトリル・ブタジエン・スチレン共重合合成樹脂により形成されている。第２取付部材５３は、４０ＭＰａの引っ張り強度を有するポリアセタール樹脂により形成されている。即ち、第１カバー取付部材５１は、カバー筐体６よりも引っ張り強度の大きい材料で形成されている。このように構成することにより、第１回動保持部５０は、上部カバー５が本体筐体３０に対して回動操作された際に生じるモーメントに、十分に対抗し得る。
【００４８】
更に、第１回動保持部５０においては、第１カバー取付部材５１を構成する第２取付部材５３は、回動軸５３Ｂと共に、規制凸部５３Ｃを有する。第１保持部材５５は、回動規制部５５Ｂを有している。そして、所定量回動した時点で、規制凸部５３Ｃと、回動規制部５５Ｂが当接するように構成されている。従って、第１回動保持部５０によれば、図４に示すように、上部カバー５を開閉動作する際の回動量を一定の範囲に規制することができる。
【００４９】
次に、本実施形態における第２回動保持部６０の構成について、図面を参照しつつ詳細に説明する。図１、及び図２に示すように、第２回動保持部６０は、画像読取装置１の右端側において、上部カバー５を本体筐体３０上面に対して回動自在に保持している。
【００５０】
図８に示すように、上部カバー５のカバー筐体６には、第２取付凹部８が形成されている。第２取付凹部８は、カバー筐体６背面の右端部分を、上部カバー５の延出方向に向かって窪んだ所定の凹形状に形成されている。尚、カバー筐体６は、スチロール樹脂によって形成されている。スチロール樹脂は、例えば、２６ＭＰａの引っ張り強度を有している。
【００５１】
そして、第２回動保持部６０は、第２カバー取付部材６１と、第２保持部材６５とを有している。第２回動保持部６０は、第２保持部材６５に対して、第２カバー取付部材６１を、回動軸６１Ｂを中心に回動可能に構成されている。
【００５２】
図８、及び図９に示すように、第２カバー取付部材６１は、第２取付凸部６１Ａと、回動軸６１Ｂと、規制凸部６１Ｃとを有している。尚、第２カバー取付部材６１は、アクリロニトリル・ブタジエン・スチレン共重合合成樹脂により形成されている。アクリロニトリル・ブタジエン・スチレン共重合合成樹脂は、例えば、５０ＭＰａの引っ張り強度を有している。
【００５３】
図８に示すように、第２取付凸部６１Ａは、第２カバー取付部材６１の一端側において、カバー筐体６の第２取付凹部８の形状に対応して形成されている。第２取付凸部６１Ａは、第２取付凹部８に対して嵌合可能に構成されている。第２取付凸部６１Ａは、カバー筐体６の第２取付凹部８に対して、前記上部カバー５の延出方向に沿って挿入される。このようにして、第２カバー取付部材６１は、上部カバー５の背面側の右端部に取り付けられる。
【００５４】
そして、回動軸６１Ｂは、第２カバー取付部材６１の他端側において、第２カバー取付部材６１の左右方向に延びる棒状に形成されている。回動軸６１Ｂは、第２保持部材６５に対して、第２カバー取付部材６１を回動させる際の回動中心として機能する。図８に示すように、第２カバー取付部材６１は、カバー筐体６の第２取付凹部８に対して取り付けられる。この取り付けにより、回動軸６１Ｂは、上部カバー５の背面側において、画像読取装置１の左右方向と平行であり、且つ、第１回動保持部５０における回動軸５３Ｂと同軸上に位置する。
【００５５】
図８に示すように、規制凸部６１Ｃは、第２カバー取付部材６１の回動軸６１Ｂから所定距離離間した位置に形成されている。規制凸部６１Ｃは、図８（ｂ）に示すように、第２保持部材６５の回動規制部６５Ｂと当接する。この当接により、規制凸部６１Ｃは、本体筐体３０上面に対する上部カバー５の開き量を所定範囲内に規制する機能を果たす。所定範囲とは、例えば、本体筐体３０上面から１００度程度である。尚、規制凸部６１Ｃと回動軸６１Ｂの間の距離は、図８に示すように、第２保持部材６５において、回動軸６１Ｂを保持する軸保持部６５Ａの厚みよりも大きく、且つ、後述する回動規制部６５Ｂと当接可能な範囲である。ここでいう軸保持部６５Ａの厚みとは、図８に示す断面において、回動軸６１Ｂ周りに位置する軸保持部６５Ａの厚みを意味する。つまり、軸保持部６５Ａの厚みは、画像読取装置１の左右方向における厚みを意味するものではない。
【００５６】
そして、第２保持部材６５は、図２に示すように、本体筐体３０上面における背面側の右端部における所定位置において、本体筐体３０上面に対して鉛直に差し込まれて取り付けられている。第２保持部材６５は、軸保持部６５Ａ及び回動規制部６５Ｂを一端部側に有する略棒状に形成されている。図８に示すように、軸保持部６５Ａは、本体筐体３０に取り付けた場合における第２保持部材６５の上端部に形成されている。軸保持部６５Ａは、第２カバー取付部材６１の回動軸６１Ｂを保持することによって、第２カバー取付部材６１を、回動軸６１Ｂを中心として、第２保持部材６５に対して回動自在に保持している。
【００５７】
そして、回動規制部６５Ｂは、前記軸保持部６５Ａの外表面から、前記回動軸６１Ｂに対して外側方向に突出するように形成されている。図８に示すように、回動規制部６５Ｂは、前記軸保持部６５Ａに保持された回動軸６１Ｂを中心として、第２カバー取付部材６１が所定量回動した場合に、第２カバー取付部材６１の規制凸部６１Ｃと当接する。所定量とは、例えば、本体筐体３０上面から１００度程度である。この当接により、回動規制部６５Ｂは、第２カバー取付部材６１の回動量を一定範囲に規制する。
【００５８】
このように、本実施形態に係る第２回動保持部６０は、上部カバー５の背面における右端側に位置する第２取付凹部８に対して、前記延出方向に沿って挿入して取り付けられる第２カバー取付部材６１を備える。第２回動保持部６０は、軸保持部６５Ａによって、第２カバー取付部材６１の回動軸６１Ｂを保持し、本体筐体３０上面の背面側において鉛直方向に差し込まれる第２保持部材６５を備える。従って、第２回動保持部６０によれば、上部カバー５を本体筐体３０上面に対して閉じた場合であっても、上部カバー５と本体筐体３０上面の間に、第２回動保持部６０の構成部材が位置することはない。従って、本体筐体３０上面や上部カバー５におけるその対向面を含むスペースを有効活用し得る。
【００５９】
又、本実施形態においては、カバー筐体６は、２６ＭＰａの引っ張り強度を有するスチロール樹脂により形成されている。第２回動保持部６０を構成する第２カバー取付部材６１は、５０ＭＰａの引っ張り強度を有するアクリロニトリル・ブタジエン・スチレン共重合合成樹脂により形成されている。即ち、第２カバー取付部材６１は、カバー筐体６よりも引っ張り強度の大きい材料で形成されているので、第２回動保持部６０は、上部カバー５を本体筐体３０に対して回動操作した際に生じるモーメントに十分に対抗し得る。
【００６０】
更に、第２回動保持部６０においては、第２カバー取付部材６１は、回動軸６１Ｂと共に、規制凸部６１Ｃを有する。第２保持部材６５は、回動規制部６５Ｂを有している。第２カバー取付部材６１が所定量回動した時点で、規制凸部６１Ｃと、回動規制部６５Ｂとが当接するように構成されている。従って、第２回動保持部６０によれば、図８に示すように、上部カバー５を開閉動作する際の回動量を一定の範囲に規制することができる。
【００６１】
そして、本実施形態においては、上部カバー５は、その背面側における両端部分において、第１回動保持部５０と、第２回動保持部６０とにより、本体筐体３０に対して回動自在に保持されている。従って、上部カバー５及び本体筐体３０において、画像読取装置１の左右方向における中央部分にあたるスペースを有効に活用し得る。
【００６２】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、フラットベッドタイプのスキャナとして機能する画像読取装置１を例として挙げていたが、この態様に限定するものではない。例えば、スキャナ機能に加えて、コピー機能、プリンタ機能、ファクシミリ機能を有する多機能機であってもよい。又、例えば、画像形成装置の消耗品交換時に回動されるカバーの回動機構に、本発明を適用してもよい。
【００６３】
又、本実施形態においては、上部カバー５は、ＡＤＦユニット１０を備えて構成されているが、この態様に限定されるものではなく、ＡＤＦユニット１０が上部カバー５に配設されていない構成であってもよい。
【００６４】
更に、本実施形態においては、画像読取装置１の左端部側に配設された第１回動保持部５０と、画像読取装置１の右端部側に配設された第２回動保持部６０とによって、上部カバー５を本体筐体３０に対して回動自在に取り付けていた。しかし、本発明は、この態様に限定されるものではない。例えば、画像読取装置１の左端部側及び右端部側において、何れも、第１回動保持部５０により、上部カバー５を本体筐体３０に対して回動自在に保持しても良い。又、例えば、画像読取装置１の左端部側及び右端部側において、何れも、第２回動保持部６０により、上部カバー５を本体筐体３０に対して回動自在に保持しても良い。
【符号の説明】
【００６５】
１    画像読取装置
５    上部カバー
６    カバー筐体
７    第１取付凹部
８    第２取付凹部
３０  本体筐体
５０  第１回動保持部
５１  第１カバー取付部材
５２  第１取付部材
５３  第２取付部材
５５  第１保持部材
６０  第２回動保持部
６１  第２カバー取付部材
６５  第２保持部材
【図１】
0005817389.tif 000002
【図２】
0005817389.tif 000003
【図３】
0005817389.tif 000004
【図４】
0005817389.tif 000005
【図５】
0005817389.tif 000006
【図６】
0005817389.tif 000007
【図７】
0005817389.tif 000008
【図８】
0005817389.tif 000009
【図９】
0005817389.tif 000010